(57)【要約】【課題】音楽再生装置において、ユーザーの手を煩わせることなく、ユーザーの好みを表す評価値を設定変更する。【解決手段】オーディオプレイヤー２は、現在再生されている楽曲の先頭に戻る巻き戻し再生、および次に再生が予定されている楽曲の先頭にスキップする早送り再生を実行させるための巻き戻しスイッチ１５ｃ、および早送りスイッチ１５ｄと、これらのスイッチ１５ｃ、１５ｄからの操作入力信号に応じて、楽曲に対するユーザーの好みを表す第一評価値を設定変更する第一設定変更部２６と、第一評価値を記憶するハードディスクドライブ（ＨＤＤ）２４とを備える。第一設定変更部２６は、巻き戻し再生が実行された場合は、第一評価値を上げ、早送り再生が実行された場合は、第一評価値を下げる。第一設定変更部２６は、巻き戻し再生、または早送り再生が、楽曲の先頭、または最後から１０秒以内に実行された場合、第一評価値の設定変更を行わない。【選択図】図２
2008140527.tif 000002
【特許請求の範囲】
【請求項１】
楽曲を再生出力する再生手段と、
現在再生されている楽曲の先頭に戻る巻き戻し再生、および次に再生が予定されている楽曲の先頭にスキップする早送り再生を前記再生手段に行わせるための操作入力手段と、
前記操作入力手段からの操作入力信号に応じて、前記楽曲に対するユーザーの好みを表す第一評価値を設定変更する第一設定変更手段と、
前記第一評価値を記憶する第一記憶手段とを備え、
前記第一設定変更手段は、前記巻き戻し再生が実行された場合は、前記第一評価値を上げ、前記早送り再生が実行された場合は、前記第一評価値を下げることを特徴とする音楽再生装置。
【請求項２】
前記第一設定変更手段は、前記巻き戻し再生、または前記早送り再生が、前記楽曲の先頭、または最後から予め設定された期間に実行された場合、前記設定変更を行わないことを特徴とする請求項１に記載の音楽再生装置。
【請求項３】
前記第一設定変更手段は、前記巻き戻し再生、または前記早送り再生が実行された前記楽曲の再生位置に応じて、前記設定変更の度合いを変化させることを特徴とする請求項１または２に記載の音楽再生装置。
【請求項４】
前記第一設定変更手段は、前記楽曲を再生した回数に応じて、前記第一評価値を設定変更することを特徴とする請求項１ないし３のいずれかに記載の音楽再生装置。
【請求項５】
前記第一評価値の設定変更に応じて、前記楽曲のアーティストに対するユーザーの好みを表す第二評価値を設定変更する第二設定変更手段と、
前記第二評価値を記憶する第二記憶手段とを備えることを特徴とする請求項１ないし４のいずれかに記載の音楽再生装置。
【請求項６】
前記第二設定変更手段は、前記第一評価値よりも低い設定変更の度合いで、前記第二評価値を設定変更することを特徴とする請求項５に記載の音楽再生装置。
【請求項７】
請求項１ないし６のいずれかに記載の音楽再生装置が搭載されていることを特徴とするカメラ。
【発明の詳細な説明】
【技術分野】
【０００１】
本発明は、楽曲を再生出力する音楽再生装置、およびこれを備えたカメラに関する。
【背景技術】
【０００２】
最近、ＣＤやＭＤ、インターネットなどから音楽データを取得し、場所を選ばず手軽に楽曲を聴くことが可能なポータブルオーディオプレイヤーなどの音楽再生装置が急激に普及している。
【０００３】
音楽再生装置には、多数の音楽データを記憶するためのフラッシュメモリやハードディスクドライブなどのメモリが内蔵されている。音楽再生装置では、備え付けのＬＣＤなどの表示器に音楽データで表される楽曲の一覧が表示される。また、例えば、タッチホイールやクリックホイールと呼ばれる操作部を操作することで、楽曲の再生、停止、早送り、巻き戻しや、再生する楽曲の選択、各種設定を行うことができる。
【０００４】
音楽再生装置のメモリには、数百〜数千の規模の膨大な音楽データが記憶されるため、この中から再生する楽曲を選択することは非常に煩わしい。そこで、従来、ユーザーが操作部を操作して楽曲を選択する手間を省き、ユーザーの好みに応じた楽曲を自動的に再生するための様々な提案がなされている。
【０００５】
例えば、音声認識機能などの入力手段から得られるユーザーの意思を反映させた選択条件、および楽曲に関する情報（収録されているアルバムのタイトル、アーティスト名、アルバムの収録曲数や総演奏時間、リリースされた年月日、楽曲の曲名、演奏時間、ジャンル、イメージなど）に基づいて、ハードディスクドライブに記憶された音楽データの中から、選択条件を満たす楽曲を選択して再生する音楽再生装置が提案されている（特許文献１参照）。この音楽再生装置では、リリースされた年月日の新しい順、またはユーザーの好みの順、もしくはランダムに、選択条件を満たした楽曲が再生される。
【０００６】
また、ユーザーの発話内容から推定したユーザーの心理状況と、季節、時刻、天候などの客観的な情報から推定したユーザーの置かれている環境とに応じた雰囲気を、予め設定された複数のカテゴリ（イライラする、疲れた、楽しいなど）から選択し、選択したカテゴリに属する音楽データを音楽データベースから検索して再生する音楽再生装置が提案されている（特許文献２参照）。
【０００７】
また、ユーザー端末にネットワーク接続されたサーバコンピュータで、ユーザー端末から入力される選曲情報（楽曲のテンポ、年代、ジャンルなど）に該当する楽曲をデータベース装置から読み出して、選曲情報に基づいたプレイリストを作成し、音楽データとともにユーザー端末に送信する自動選曲システムが提案されている（特許文献３参照）。
【０００８】
あるいは、カラオケで用いられるＬＤプレイヤーで再生した曲のインデックス番号、日時などを来歴データとして光カードに記録しておき、曲の再生をする際に光カードから来歴データを読み込んで、これにしたがって最近再生した曲や多く再生した曲を順番に表示することで、ユーザーの傾向に応じて速やかに曲を選択することができるようにした音楽再生装置が提案されている（特許文献４参照）。
【０００９】
さらに、無作為に楽曲を選択して再生するランダム再生を行う際に、ユーザーが好みに応じて設定する「選択され易さ」を示す係数に基づいて、楽曲を選択するオーディオ再生装置（特許文献５参照）や、再生を中断して次に再生が予定されている楽曲の先頭にスキップする操作が行われた楽曲の音楽データを特定する情報と、その楽曲が収録されるメディア（ＣＤやＭＤなど）のＴＯＣ（Table Of Contents）情報とを対にして記憶し、次回メディアを再生する際に、スキップ操作された楽曲の音楽データを特定する情報を元に、スキップ操作された楽曲が自動的にスキップして再生されるようにしたメディア再生装置が提案されている（特許文献６参照）。号に応じて、前記音楽データの
【特許文献１】特開２００５−１３５５１９号公報
【特許文献２】特開２００６−０９２４３０号公報
【特許文献３】特開２００２−０７３０４１号公報
【特許文献４】特開平８−０３１１５０号公報
【特許文献５】特開平９−３３０５８６号公報
【特許文献６】特開２００２−１８４１５８号公報
【発明の開示】
【発明が解決しようとする課題】
【００１０】
ところで、上記従来技術の説明で少しく触れているが、音楽再生装置には、手間を掛けずにユーザーの好みに応じた楽曲を再生するために、ユーザーの好みを数値的に表す評価値を楽曲毎に設定させ、この評価値に応じたプレイリストを作成する機能を持つものがある。この機能によれば、ユーザーの主観的な評価を反映させた楽曲の再生を行うことが可能となる。また、ユーザーの楽曲に対する思い入れを表現することができるという副次的な効果も期待される大変有用性の高い機能である。しかしながら、その反面、評価値の設定をユーザーの手入力に頼らざるを得ず、楽曲の選択と同様に煩わしいという問題があった。
【００１１】
本発明は、上記課題を鑑みてなされたものであり、ユーザーの手を煩わせることなく、ユーザーの好みを表す評価値を設定変更することができる音楽再生装置、およびこれを備えたカメラを提供することを目的とする。
【課題を解決するための手段】
【００１２】
上記目的を達成するために、請求項１に記載の発明は、楽曲を再生出力する再生手段と、現在再生されている楽曲の先頭に戻る巻き戻し再生、および次に再生が予定されている楽曲の先頭にスキップする早送り再生を前記再生手段に行わせるための操作入力手段と、前記操作入力手段からの操作入力信号に応じて、前記楽曲に対するユーザーの好みを表す第一評価値を設定変更する第一設定変更手段と、前記第一評価値を記憶する第一記憶手段とを備え、前記第一設定変更手段は、前記巻き戻し再生が実行された場合は、前記第一評価値を上げ、前記早送り再生が実行された場合は、前記第一評価値を下げることを特徴とする。
【００１３】
前記第一設定変更手段は、前記巻き戻し再生、または前記早送り再生が、前記楽曲の先頭、または最後から予め設定された期間に実行された場合、前記設定変更を行わないことが好ましい。
【００１４】
前記第一設定変更手段は、前記巻き戻し再生、または前記早送り再生が実行された前記楽曲の再生位置に応じて、前記設定変更の度合いを変化させることが好ましい。
【００１５】
前記第一設定変更手段は、前記楽曲を再生した回数に応じて、前記第一評価値を設定変更することが好ましい。
【００１６】
前記第一評価値の設定変更に応じて、前記楽曲のアーティストに対するユーザーの好みを表す第二評価値を設定変更する第二設定変更手段と、前記第二評価値を記憶する第二記憶手段とを備えることが好ましい。この場合、前記第二設定変更手段は、前記第一評価値よりも低い設定変更の度合いで、前記第二評価値を設定変更することが好ましい。
【００１７】
請求項７に記載の発明は、カメラであって、請求項１ないし６のいずれかに記載の音楽再生装置が搭載されていることを特徴とする。
【発明の効果】
【００１８】
本発明の音楽再生装置、およびこれを備えたカメラによれば、現在再生されている楽曲の先頭に戻る巻き戻し再生が実行された場合は、楽曲に対するユーザーの好みを表す第一評価値を上げ、次に再生が予定されている楽曲の先頭にスキップする早送り再生が実行された場合は、評価値を下げるようにしたので、ユーザーが評価値の設定を意図してわざわざ操作を行わなくても、通常の再生操作を行っているだけで、自動的に評価値の設定変更を行うことができる。
【発明を実施するための最良の形態】
【００１９】
図１において、音楽再生装置としてのポータブルオーディオプレイヤー（以下、単にオーディオプレイヤーという。）２は、略矩形状の本体２ａを備えている。本体２ａの前面には、アーティストや楽曲の一覧、楽曲の再生状況、および各種設定画面などを表示する液晶表示器（以下、ＬＣＤと略す。）１０、および操作部１１が設けられている。また、本体２ａの上面には、操作部１１の操作を無効／有効に切り替えるためのロック／解除スイッチ１２、およびイヤホン１３のコネクタ端子１３ａが挿脱されるイヤホンジャック１４（図２参照）が設けられている。
【００２０】
操作部１１は、円環状に形成されたクリックホイール１５と、クリックホイール１５の円環の中心部分に配され、選択内容を決定する際などに押圧操作される決定ボタン１６とから構成される。クリックホイール１５に指を触れてなぞることによって、ＬＣＤ１０に表示されるアーティストや楽曲の一覧、各種設定画面の設定項目の一覧などをスクロールすることができる。
【００２１】
本体２ａの上下左右方向に対応したクリックホイール１５の該当箇所１５ａ〜１５ｄを押下することにより、それぞれ、ＬＣＤ１０に表示される各種画面の遷移（１５ａ）、楽曲の再生／停止（１５ｂ）、現在再生されている楽曲の先頭に戻る巻き戻し再生（１５ｃ）、および次に再生が予定されている楽曲の先頭にスキップする早送り再生（１５ｄ）を行わせることができる。以下の説明では、該当箇所１５ａ〜１５ｄをそれぞれ、画面遷移スイッチ、再生／停止スイッチ、巻き戻しスイッチ、および早送りスイッチと呼ぶ。なお、クリックホイール１５は、例えば、本体２ａの上下左右方向にメッシュ状の電極が所定の間隔を挟んで対向した構成を有する。
【００２２】
オーディオプレイヤー２の電気的構成を示す図２において、ＣＰＵ２０は、オーディオプレイヤー２の全体の動作を統括的に制御する。ＣＰＵ２０には、バス２１を介して、前述の操作部１１とともに、信号処理部２２、メモリ２３、ハードディスクドライブ（以下、ＨＤＤと略す。）２４、ＬＣＤドライバ２５、および第一設定変更部２６が接続されている。
【００２３】
信号処理部２２は、Ｄ／Ａ変換器（以下、Ｄ／Ａと略す。）２２ａと、増幅器（以下、ＡＭＰと略す。）２２ｂとからなる。Ｄ／Ａ２２ａは、デジタルの音楽データをアナログ変換し、ＡＭＰ２２ｂに出力する。ＡＭＰ２２ｂは、Ｄ／Ａ２２ａからのアナログの音楽データに対して所定の増幅率で増幅を施し、イヤホンジャック１４に出力する。これにより、イヤホンジャック１４に接続されたイヤホン１３から、音楽データに基づいた音波が出力される。
【００２４】
ＨＤＤ２４には、オーディオプレイヤー２を動作させるための各種プログラムや、音楽データが記憶されている。ＣＰＵ２０は、ＨＤＤ２４からプログラムを読み出してメモリ２３に展開し、読み出したプログラムを逐次処理するとともに、ＨＤＤ２４から音楽データを読み出してメモリ２３に一旦格納させ、信号処理部２２に出力させる。
【００２５】
ＣＰＵ２０は、操作部１１から入力される操作入力信号に応じて、オーディオプレイヤー２の各部を動作させる。例えば、クリックホイール１５を構成する各電極間の静電容量や電流の変化などの電気的な信号を検出することで、指の接触位置、回転方向、および回転速度を検知し、これらの検知結果に応じてＬＣＤドライバ２５を制御して、ＬＣＤ１０の表示画面上で一覧のスクロール方向や速度を変化させる。
【００２６】
ＨＤＤ２４に記憶される音楽データは、例えば、ＣＤやＭＤ、インターネットなどから、データ入出力Ｉ／Ｆ（図示せず）を介して取得される。ＨＤＤ２４には、音楽データだけでなく、その音楽データが収録されているアルバムの情報（タイトル、アーティスト名、アルバムの収録曲数や総演奏時間、レーベル、リリースされた年月日など）や、音楽データで表される楽曲の情報（曲名、演奏時間、ジャンル、イメージなど）も併せて記憶されている。ＨＤＤ２４は、これらの情報を元に、アーティストやアルバム毎に整理して音楽データを記憶する。なお、アルバムや楽曲の情報は、ＣＤやＭＤに予め記憶されている、あるいはインターネットの音楽情報提供サーバで一般に公開されているので、音楽データを取得する際にこれらの情報を自動的に読み出して、ＨＤＤ２４に記憶することができる。
【００２７】
また、ＨＤＤ２４には、楽曲に対するユーザーの好みを表す第一評価値が音楽データと関連付けて記憶されている。第一評価値は、例えば、１〜１０の１０段階の設定が可能となっており、数値が大きい程、ユーザーがその楽曲を好んでいることを表す。第一評価値は、デフォルトでは中間の「５」に設定されている。
【００２８】
図３に模式的に示すように、第一設定変更部２６は、楽曲の再生中に巻き戻しスイッチ１５ｃが操作され、巻き戻し再生が実行された場合、その楽曲（この場合は楽曲Ａ）の音楽データに対応する第一評価値を１段階上げる。また、第一設定変更部２６は、楽曲の再生中に早送りスイッチ１５ｄが操作され、早送り再生が実行された場合、その楽曲（この場合は楽曲Ｃ）の音楽データに対応する第一評価値を１段階下げる。なお、楽曲Ａ〜Ｃを区切る縦の棒は、それぞれの楽曲Ａ〜Ｃの演奏開始および終了位置を示し、下部の矢印は、楽曲Ａ〜Ｃが順に再生される方向を示す。また、横棒上の点は、巻き戻し再生、または早送り再生が実行された楽曲の再生位置を示す。
【００２９】
また、図４に示すように、第一設定変更部２６は、巻き戻し再生、または早送り再生が、楽曲（この場合は楽曲Ｂ）の先頭、または最後から予め設定された期間、例えば、１０秒以内に実行された場合は、第一評価値の設定変更を行わない。なお、第一設定変更部２６は、例えば、ＨＤＤ２４に記憶された楽曲の演奏時間と照合しながら、楽曲の再生時間をモニタリングすることで、楽曲の先頭、または最後から１０秒の期間を検知する。また、言う迄もないが、図４に示す例とは逆に、楽曲の先頭、または最後から１０秒以内に早送り再生、または巻き戻し再生が実行された場合は、第一設定変更部２６は、図３に示す例と同様に第一評価値を設定変更する。
【００３０】
次に、上記構成を有するオーディオプレイヤー２の動作について、図５のフローチャートを参照して説明する。まず、ユーザーは、ＬＣＤ１０に表示される一覧を見ながら、クリックホイール１５を操作して、再生したい楽曲を選択する。そして、再生／一時停止スイッチ１５ｂを操作して、楽曲の再生を開始させる。
【００３１】
楽曲の再生が指示されると、ＨＤＤ２４から該当する楽曲の音楽データがＣＰＵ２０に読み出される。ＣＰＵ２０に読み出された音楽データは、一旦メモリ２３に格納され、ＣＰＵ２０を介して、Ｄ／Ａ２２ａに出力される。Ｄ／Ａ２２ａでは、デジタルの音楽データに対してＤ／Ａ変換が施される。Ｄ／Ａ２２ａでＤ／Ａ変換されたアナログの音楽データは、ＡＭＰ２２ｂで増幅された後、イヤホンジャック１４を介してイヤホン１３から音波として出力される。
【００３２】
図５において、楽曲の再生中に巻き戻しスイッチ１５ｃ、または早送りスイッチ１５ｄが操作されると、巻き戻しスイッチ１５ｃ、または早送りスイッチ１５ｄからの操作入力信号を受けて、ＣＰＵ２０により巻き戻し再生、または早送り再生が実行される。すなわち、現在再生されている楽曲の先頭に戻って再生が行われる、または次に再生が予定されている楽曲の先頭にスキップして再生が行われる。
【００３３】
巻き戻し再生、または早送り再生が実行され、且つその操作位置が楽曲の先頭、または最後から１０秒以内でない場合は、その楽曲の音楽データに対応する第一評価値が、第一設定変更部２６により１段階上げられる、または下げられる。これにより、ユーザーが第一評価値をわざわざ設定する煩わしさから開放され、ユーザーの好みが適正に反映された第一評価値を得ることができる。
【００３４】
一方、巻き戻し再生、または早送り再生の操作位置が楽曲の先頭、または最後から１０秒以内であった場合は、第一評価値の設定変更は行われない。このようにすれば、巻き戻し再生、または早送り再生は実行したいが、第一評価値を設定変更したくないときに対応することができる。
【００３５】
上記一連の処理は、再生／停止スイッチ１５ｂが操作されて再生が停止されるか、再生すべき楽曲が全て再生されるまで繰り返し実行される。このように設定変更された第一評価値を用いて、例えば、第一評価値が高い楽曲ばかりを集めたプレイリストを作成して再生したり、第一評価値が低い楽曲を纏めてＨＤＤ２４から削除したりすることができる。
【００３６】
上記実施形態では、第一評価値の設定変更を一律に１段階上げる、または下げるようにしているが、巻き戻し再生、または早送り再生の操作位置に応じて、設定変更の度合いを変化させてもよい。
【００３７】
例えば、楽曲の再生開始位置を０％、終了位置を１００％とし、巻き戻し再生の操作位置が、楽曲の再生時間の０〜２５％（先頭から１０秒以内に巻き戻し再生が実行されたときに、第一評価値の設定変更を行わない場合は、先頭から１０秒を除いた期間）の位置にあたっていた場合は、第一評価値を０．５段階上げ、２６〜５０％の位置では１段階、５１〜７５％の位置では２段階、７６〜１００％では３段階それぞれ上げる。
【００３８】
また、早送り再生の操作位置が、楽曲の再生時間の０〜２５％の位置にあたっていた場合は、第一評価値を３段階下げ、２６〜５０％の位置では２段階、５１〜７５％の位置では１段階、７６〜１００％（最後から１０秒以内に早送り再生が実行されたときに、第一評価値の設定変更を行わない場合は、最後から１０秒を除いた期間）では０．５段階それぞれ下げる。もしくは、より単純に、楽曲の先頭から１０秒以内に早送り再生が実行された場合は、第一評価値を３段階下げ、１０秒〜１分の間では２段階下げるなどしてもよい。このようにすれば、よりユーザーの好みを反映させることができる。なお、楽曲の再生位置を特定する方法としては、上記実施形態と同様に、ＨＤＤ２４に記憶された楽曲の演奏時間と照合しながら、楽曲の再生時間をモニタリングすることで行う。
【００３９】
また、巻き戻し再生、または早送り再生の実行による第一評価値の設定変更と併せて、楽曲を再生した回数に応じて、設定変更を行ってもよい。この場合、図６のフローチャートに示すように、巻き戻し再生、または早送り再生が実行されずに楽曲が最後まで演奏されたら、第一評価値を１段階上げる。これにより、巻き戻し再生、または早送り再生の実行頻度が少ないユーザーに対しても、第一評価値の設定変更を行うことができる。
【００４０】
上記実施形態では、楽曲に対するユーザーの好みを表す第一評価値を設定変更する例を挙げて説明したが、これに加えて、図７に示すオーディオプレイヤー３０のように、アーティストに対するユーザーの好みを表す第二評価値を設定変更する第二設定変更部３１を設けてもよい。
【００４１】
第二評価値は、第一評価値の場合と同様に、音楽データと関連付けてＨＤＤ２４に記憶され、例えば、１〜１０の１０段階の設定が可能となっており、数値が大きい程、ユーザーがそのアーティストを好んでいることを表す。第二評価値は、デフォルトでは中間の「５」に設定されている。なお、第一評価値は、音楽データ毎に値がそれぞれ異なるが、第二評価値は、アーティスト毎に一対一で対応しているため、同じアーティストの音楽データに対して記憶される値は、一律に同じである。
【００４２】
第二設定変更部３１は、第一設定変更部２６と同様に、楽曲の再生中に巻き戻し再生が実行された場合、その楽曲のアーティストに対応する第二評価値を上げ、早送り再生が実行された場合、その楽曲のアーティストに対応する第二評価値を下げる。このようにすれば、第一評価値の場合と同様に、第二評価値が高いアーティストばかりを集めたプレイリストを作成して再生したり、第二評価値が低いアーティストのアルバムを纏めてＨＤＤ２４から削除したりすることができ、ユーザーに対する利便性をさらに高めることができる。
【００４３】
ここで、アーティストによっては、比較的多数の音楽データが記憶されている場合がある。このようなアーティストに対して、第一評価値と同程度の度合いで第二評価値を設定変更すると、音楽データが少ないアーティストに比べて第二評価値の変動が大きくなりすぎ、ユーザーの好みを適正に表現することができない。このため、第二設定変更部３１は、第一設定変更部２６で第一評価値を１段階上下させたのに対し、第一評価値よりも低い設定変更の度合い、例えば、１／１０の０．１段階で第二評価値を設定変更する。
【００４４】
なお、第一設定変更部２６と第二設定変更部３１とを分けて設けたが、これらの処理を統合して一つの設定変更部で行ってもよい。また、第一設定変更部２６の場合と同様に、巻き戻し再生、または早送り再生が、楽曲の先頭、または最後から予め設定された期間に実行された場合は、第二設定変更部３１で第二評価値の設定変更を行わないようにしてもよいし、巻き戻し再生、または早送り再生の操作位置に応じて、第二評価値の設定変更の度合いを変化させてもよい。あるいは、楽曲を再生した回数に応じて、第二評価値の設定変更を行ってもよい。
【００４５】
上記実施形態では、音楽再生装置としてオーディオプレイヤー２を例示して説明したが、本発明はこれに限定されるものではなく、例えば、音楽データを記憶する手段としてカーナビゲーションシステムのＨＤＤを利用した車載用のオーディオプレイヤーや、据え置き型の家庭用オーディオコンポ、パーソナルコンピュータ、あるいは図８〜図１０に示すデジタルカメラ４０などのカメラに適用してもよい。
【００４６】
図８および図９において、デジタルカメラ４０は、略矩形状のカメラ本体４０ａを有する。カメラ本体４０ａの前面には、撮像レンズ４１を保持するレンズ鏡胴４２などが設けられている。上面には、レリーズボタン４３と、その周囲を取り囲む円環状のモードダイヤル４４とが設けられている。また、カメラ本体４０ａの一側面には、開閉自在な蓋４５と、イヤホン１３のコネクタ端子１３ａが挿脱されるイヤホンジャック４６とが設けられている。蓋４５を開くと、メモリカード４７が着脱自在に装填されるメモリカードスロット４８が露呈される。
【００４７】
カメラ本体４０ａの背面には、液晶表示器（以下、ＬＣＤと略す。）４９、および操作部５０などが設けられている。ＬＣＤ４９は、メモリカード４７から読み出した画像やスルー画像、撮影に関する各種設定画面を表示する。また、ＬＣＤ４９は、上記実施形態のＬＣＤ１０と同様に、アーティストや楽曲の一覧、楽曲の再生状況、および音楽再生に関する各種設定画面を表示する。操作部５０は、ＬＣＤ４９に設定画面を表示させる際や、選択内容を決定する際に操作される決定ボタン５１、および設定画面内でカーソルを移動させるための十字キー５２から構成される。
【００４８】
十字キー５２は、上記実施形態のクリックホイール１５に相当する。すなわち、カメラ本体４０ａの上下左右方向に対応した該当箇所５２ａ〜５２ｄを押下することにより、それぞれ、ＬＣＤ４９に表示される各種画面の遷移（５２ａ）、楽曲の再生／停止（５２ｂ）、現在再生されている楽曲の先頭に戻る巻き戻し再生（５２ｃ）、および次に再生が予定されている楽曲の先頭にスキップする早送り再生（５２ｄ）を行わせることができる。以下の説明では、上記実施形態と同様に、該当箇所５２ａ〜５２ｄをそれぞれ、画面遷移スイッチ、再生／停止スイッチ、巻き戻しスイッチ、および早送りスイッチと呼ぶ。
【００４９】
光学ファインダまたはＬＣＤ４９による被写体のフレーミングの後に、レリーズボタン４３が押圧されると、一回の撮影が行われる。また、モードダイヤル４４が回動操作されると、静止画撮影を行う静止画撮影モード、動画撮影を行う動画撮影モード、撮影した画像をＬＣＤ４９に表示する画像再生モード、楽曲を再生する音楽再生モード、および各種設定を行う設定モードが選択的に切り替えられる。
【００５０】
図１０において、撮像レンズ４１の背後には、ＣＣＤ６０が配置されている。ＣＣＤ６０は、レンズ群を透過して撮像面に結像された被写体像を光電変換して、撮像信号を出力する。ＣＣＤ６０には、ＣＰＵ６１によって制御されるＣＣＤドライバ６２が接続されている。ＣＣＤドライバ６２は、ＣＣＤ６０の電荷蓄積時間と電荷掃き出しタイミングを制御するためのタイミング信号（クロックパルス）をＣＣＤ６０に出力する。
【００５１】
ＣＣＤ６０から出力された撮像信号は、アナログ信号処理部６３に入力される。アナログ信号処理部６３は、撮像信号に対して相関二重サンプリングを施し、ＣＣＤ６０の各セルの蓄積電荷量に正確に対応したＲ、Ｇ、Ｂの画像信号を出力する。そして、この画像信号を所定の増幅率で増幅し、Ａ／Ｄ変換器（以下、Ａ／Ｄと略す。）６４に出力する。
【００５２】
Ａ／Ｄ６４は、画像信号をＡ／Ｄ変換してデジタルの画像データを出力する。Ａ／Ｄ６４から出力された画像データは、データバス６５を介してＳＤＲＡＭ６６に入力され、ＳＤＲＡＭ６６に一旦格納される。なお、アナログ信号処理部６３、およびＡ／Ｄ６４は、タイミングジェネレータ（図示せず）から入力されるタイミング信号に応じて同期駆動し、一定のフレームレートで画像データを出力する。
【００５３】
デジタル信号処理部６７は、ＳＤＲＡＭ６６から画像データを読み出して、画像データに対して、階調変換、ホワイトバランス補正、γ補正などの各種画像処理を施す。デジタル信号処理部６７で画像処理が施された画像データは、ＳＤＲＡＭ６６に再度格納される。
【００５４】
ＹＣ変換処理部６８は、ＳＤＲＡＭ６６から画像データを読み出し、画像データに対して、ＲＧＢの信号を輝度信号Ｙと色差信号Ｃｒ、Ｃｂとに変換するＹＣ変換を施す。圧縮伸張処理部６９は、ＹＣ変換処理部６８で本格的なＹＣ変換が施された画像データに対して、所定の圧縮形式（例えば、ＪＰＥＧ形式）で画像圧縮を施す。圧縮伸張処理部６９で圧縮された画像データは、ＳＤＲＡＭ６６に再度格納される。
【００５５】
メモリ制御部７０は、ＳＤＲＡＭ６６から圧縮処理後の画像データを読み出し、メモリカード４７に記録する。また、メモリカード４７に記録された画像データは、メモリ制御部７０を経てＳＤＲＡＭ６６に一旦格納され、圧縮伸張処理部６９に読み出されて圧縮される前の画像データに伸張される。
【００５６】
メモリカード４７には、上記実施形態のＨＤＤ２４と同様に、音楽データと、その音楽データが収録されているアルバムの情報や、音楽データで表される楽曲の情報とが併せて記憶されており、アーティストやアルバム毎に整理して音楽データが記憶されている。また、メモリカード４７には、第一評価値が音楽データと関連付けて記憶されている。
【００５７】
ＬＣＤドライバ７１には、ＹＣ変換処理部６８で簡易ＹＣ変換された二フレーム分の画像データが格納されるＶＲＡＭ（図示せず）が接続されている。ＶＲＡＭは、画像データの書き込みと読み出しとを並行して行う。ＬＣＤドライバ７１は、ＶＲＡＭから読み出した画像データをアナログのコンポジット信号に変換し、これをＬＣＤ４９にスルー画像として表示させる。また、ＬＣＤドライバ７１は、圧縮伸張処理部６９で伸張された画像データを、ＬＣＤ４９に再生画像として表示させる。
【００５８】
信号処理部７２は、上記実施形態の信号処理部２２に相当し、デジタルの音楽データをアナログ変換するＤ／Ａと、Ｄ／Ａからのアナログの音楽データを増幅するＡＭＰとからなる。ＡＭＰで増幅されたアナログの音楽データは、イヤホンジャック４６を介してイヤホン１３から音波として出力される。
【００５９】
第一設定変更部７３は、上記実施形態の第一設定変更部２６に相当し、楽曲の再生中に巻き戻しスイッチ５２ｃが操作され、巻き戻し再生が実行された場合、その楽曲の音楽データに対応する第一評価値を１段階上げ、楽曲の再生中に早送りスイッチ５２ｄが操作され、早送り再生が実行された場合、その楽曲の音楽データに対応する第一評価値を１段階下げる。また、第一設定変更部２６は、巻き戻し再生、または早送り再生が、楽曲の先頭、または最後から予め設定された期間、例えば、１０秒以内に実行された場合は、第一評価値の設定変更を行わない。
【００６０】
ＣＰＵ６１は、制御バス７４を介して各部に制御信号を送信するとともに、各部からの応答信号を受信して、各部の動作を統括的に制御する。ＣＰＵ６１には、前述のレリーズボタン４３、および操作部５０などの他に、各種制御用のプログラムや設定情報が記録されたＥＥＰＲＯＭ７５が接続されている。ＣＰＵ６１は、レリーズボタン４３からのレリーズ信号を受けて、これに伴う処理を各部に実行させる。また、ＣＰＵ６１は、操作部５０から入力される操作入力信号に応じて各部を動作させ、各種情報をＥＥＰＲＯＭ７５から内蔵ＲＡＭに読み出して、処理を実行する。
【００６１】
次に、上記構成を有するデジタルカメラ４０の動作について説明する。デジタルカメラ４０で静止画撮影を行う際には、デジタルカメラ４０の電源を投入し、モードダイヤル４４を操作して静止画撮影モードを選択する。
【００６２】
静止画撮影モードでは、撮像レンズ４１を介して入射した被写体像がＣＣＤ６０の撮像面に結像され、これによりＣＣＤ６０から撮像信号が出力される。ＣＣＤ６０から出力された撮像信号は、アナログ信号処理部６３で相関二重サンプリングされて増幅され、Ａ／Ｄ６４でデジタルの画像データに変換される。
【００６３】
Ａ／Ｄ６４でデジタル化された画像データは、データバス６５を介してＳＤＲＡＭ６６に入力され、ＳＤＲＡＭ６６に一旦格納される。ＳＤＲＡＭ６６に格納された画像データは、ＹＣ変換処理部６８で簡易ＹＣ変換が施された後、ＶＲＡＭに格納される。ＶＲＡＭに格納された画像データは、逐次ＬＣＤドライバ７１に読み出されて、ＬＣＤドライバ７１でコンポジット信号に変換され、ＬＣＤ４９にスルー画像として表示される。
【００６４】
スルー画像の表示中にレリーズボタン４３が押下されて撮影が実行されると、このときに得られた画像データがＳＤＲＡＭ６６に格納される。ＳＤＲＡＭ６６に格納された画像データは、今度はＹＣ変換処理部６８で本格的なＹＣ変換が施された後、圧縮伸張処理部６９で圧縮処理され、ＳＤＲＡＭ６６に再び格納される。ＳＤＲＡＭ６６に格納された圧縮処理後の画像データは、メモリ制御部７０に読み出され、メモリ制御部７０の制御の下に、メモリカード４７に記録される。
【００６５】
モードダイヤル４４が操作されて画像再生モードが選択されると、メモリカード４７に記録された画像データがＳＤＲＡＭ６６に格納される。そして、ＳＤＲＡＭ６６から圧縮伸張処理部６９に画像データが読み出され、圧縮伸張処理部６９で伸張されて元の画像データとなり、再びＳＤＲＡＭ６６に格納される。ＳＤＲＡＭ６６に格納された伸張後の画像データは、ＬＣＤドライバ７１に読み出されてＬＣＤ５０に再生表示される。
【００６６】
また、モードダイヤル４４が操作されて音楽再生モードが選択され、楽曲の再生が指示されると、メモリカード４７から該当する楽曲の音楽データがＣＰＵ６１に読み出される。ＣＰＵ６１に読み出された音楽データは、一旦ＳＤＲＡＭ６６に格納され、ＣＰＵ６１を介して、信号処理部７２に出力される。信号処理部７２では、Ｄ／Ａでデジタルの音楽データに対してＤ／Ａ変換が施され、アナログの音楽データとされた後、ＡＭＰで増幅される。ＡＭＰで増幅されたアナログの音楽データは、イヤホンジャック４６を介してイヤホン１３から音波として出力される。
【００６７】
楽曲の再生中に巻き戻しスイッチ５２ｃ、または早送りスイッチ５２ｄが操作されると、巻き戻しスイッチ５２ｃ、または早送りスイッチ５２ｄからの操作入力信号を受けて、ＣＰＵ６１により巻き戻し再生、または早送り再生が実行される。
【００６８】
巻き戻し再生、または早送り再生が実行され、且つその操作位置が楽曲の先頭、または最後から１０秒以内でない場合は、その楽曲の音楽データに対応する第一評価値が、第一設定変更部７３により１段階上げられる、または下げられる。一方、巻き戻し再生、または早送り再生の操作位置が楽曲の先頭、または最後から１０秒以内であった場合は、第一評価値の設定変更は行われない。上記一連の処理は、再生／停止スイッチ５２ｂが操作されて再生が停止されるか、再生すべき楽曲が全て再生されるまで繰り返し実行される。
【００６９】
なお、第一設定変更部２６の場合と同様に、巻き戻し再生、または早送り再生の操作位置に応じて、第一評価値の設定変更の度合いを変化させてもよい。あるいは、楽曲を再生した回数に応じて、第一評価値の設定変更を行ってもよい。さらには、オーディオプレイヤー３０のように、アーティストに対するユーザーの好みを表す第二評価値を設定変更する第二設定変更部を設けてもよい。
【００７０】
なお、カメラとしてデジタルカメラ４０を例示して説明したが、本発明はこれに限定されず、例えば、カメラ付き携帯電話や銀塩カメラ、レンズ付きフイルムユニットなどの他のカメラにも適用することができる。
【００７１】
上記実施形態では、第一、第二評価値を音楽データと関連付けて記憶しているが、必ずしも関連付ける必要はなく、第一、第二評価値を基準にして音楽データを分類して記憶してもよい。また、巻き戻し再生、または早送り再生が実行されたことに応じて、第一、第二評価値を設定変更するか否かを選択可能に構成してもよい。さらに、巻き戻しスイッチ、または早送りスイッチを長押しすることで、楽曲を再生しながら巻き戻し、早送りをすることができるように構成し、これらの操作に応じて、第一、第二評価値を設定変更してもよい。
【００７２】
上記実施形態では、イヤホン１３で楽曲を再生出力しているが、これに代えて、ヘッドホンやスピーカーを用いてもよい。また、巻き戻し再生、および早送り再生を実行させるための操作入力手段として、クリックホイール１５や十字キー５２など、幾つかの機能が複合されたスイッチを例示したが、単独のスイッチを用いてもよい。さらに、音楽データを記憶する手段として、ＨＤＤ２４やメモリカード４７を例に挙げて説明したが、フラッシュメモリ、あるいは、メモリカードに代わるリムーバルな記録メディアを用いた場合についても、本発明は適用可能である。
【図面の簡単な説明】
【００７３】
【図１】本発明を適用したオーディオプレイヤーの正面外観図である。
【図２】オーディオプレイヤーの電気的構成を示すブロック図である。
【図３】第一設定変更部の動作を模式的に示す説明図である。
【図４】第一設定変更部の動作を模式的に示す説明図である。
【図５】オーディオプレイヤーの動作手順を示すフローチャートである。
【図６】楽曲の再生回数に応じて、第一評価値を設定変更する場合のオーディオプレイヤーの動作手順を示すフローチャートである。
【図７】第二設定変更部を設けたオーディオプレイヤーの電気的構成を示すブロック図である。
【図８】本発明を適用したデジタルカメラの正面外観斜視図である。
【図９】デジタルカメラの背面外観斜視図である。
【図１０】デジタルカメラの電気的構成を示すブロック図である。
【符号の説明】
【００７４】
２、３０  ポータブルオーディオプレイヤー（オーディオプレイヤー）
１１  操作部
１３  イヤホン
１５ｃ、５２ｃ  巻き戻しスイッチ
１５ｄ、５２ｄ  早送りスイッチ
２２、７２  信号処理部
２４  ハードディスクドライブ（ＨＤＤ）
２６、７３  第一設定変更部
３１  第二設定変更部
４０  デジタルカメラ
４７  メモリカード
【図１】
2008140527.tif 000003
【図２】
2008140527.tif 000004
【図３】
2008140527.tif 000005
【図４】
2008140527.tif 000006
【図５】
2008140527.tif 000007
【図６】
2008140527.tif 000008
【図７】
2008140527.tif 000009
【図８】
2008140527.tif 000010
【図９】
2008140527.tif 000011
【図１０】
2008140527.tif 000012